(57)【要約】【課題】脱水工程時における筐体への振動伝達を抑制し、筐体の振動を低減する。【解決手段】筐体１内に設けた水槽２と、水槽２内に回転可能に設けたドラム３と、ドラム３を回転駆動するモータ１０と、ドラム３の後部に設けた回転軸７と、回転軸７を回転自在に支持し、水槽２の後部と可撓性部材１６によりシール結合した軸受部８と、水槽２に設けた支持台１８とを備え、ドラム３は、軸受部８を介してばね１９ａ、１９ｂと防振ダンパー２０ａ、２０ｂにより支持台１８で弾性支持し、支持台１８により水槽２を床面２４で支持するようにしたものである。【選択図】図１
2012130474.tif 000002
【特許請求の範囲】
【請求項１】
筐体と、前記筐体内に設けた水槽と、前記水槽内に回転可能に設けたドラムと、前記ドラムを回転駆動するモータと、前記ドラムの後部に設けた回転軸と、前記回転軸を回転自在に支持し、前記水槽の後部と可撓性部材によりシール結合した軸受部と、前記水槽に設けた支持台とを備え、前記ドラムは、前記軸受部を介してばねと防振ダンパーにより前記支持台で弾性支持し、前記支持台により前記水槽を床面で支持するようにしたドラム式洗濯機。
【請求項２】
筐体の底部に基底部を設け、支持台は、前記基底部を貫通して床面で支持するようにした請求項１記載のドラム式洗濯機。
【請求項３】
筐体の底部に筐体支持部を設け、支持台は、前記筐体支持部を貫通して床面で支持するようにした請求項１または２に記載のドラム式洗濯機。
【請求項４】
支持台の底部に弾性体を設け、前記弾性体を介して床面で支持するようにした請求項１〜３のいずれか１項に記載のドラム式洗濯機。
【請求項５】
支持台の外周部に弾性体を設け、前記弾性体を介して基底部または筐体支持部と当接するようにした請求項１〜４のいずれか１項に記載のドラム式洗濯機。
【発明の詳細な説明】
【技術分野】
【０００１】
本発明は、衣類等の洗濯物を洗うドラム式洗濯機に関するものである。
【背景技術】
【０００２】
従来、この種のドラム式洗濯機は、図７に示すような構成が一般的である。図７において、水槽５１内に設けたドラム５２の回転軸５３を水槽５１の背面に設けた軸受部５４で軸支するとともに、回転軸５３に取り付けたプーリー５５にベルト５６を介してモータ５７の回転を伝達し、ドラム５２を回転させるようにしている。水槽５１とドラム５２は有底筒状に設けられており、ドラム５２の回転軸５３を略水平方向にして筐体５８内に配設している。水槽５１は、筐体５８の基底部５９に取り付けられた左右一対の防振ダンパー６０によって下方から支持され、筐体５８の上部から張架したコイルばね６１によって弾性支持されている。
【０００３】
脱水工程において、洗濯物を収容したドラム５２を高速回転させると、洗濯物がドラム５２内で偏りアンバランスが発生する。ドラム５２内の洗濯物がアンバランス状態になると、ドラム５２を内包している水槽５１に大きな振動が発生する。このドラム５２の回転に伴う振動を抑制するために、水槽５１を減衰定数の大きい防振ダンパー６０によって防振支持して振動振幅を低減するとともに、水槽５１の前部に錘６２を付加することが考えられている（例えば、特許文献１参照）。
【０００４】
また、ドラムの回転にともなう振動が筐体に伝わるのを抑制するために、水槽を下方から防振ダンパーにより支持し、水槽の上部を正面側に第１のコイルバネにより弾性付勢するとともに、水槽の下方を第２のコイルバネによって背面側に弾性付勢することが考えられている（例えば、特許文献２参照）。
【先行技術文献】
【特許文献】
【０００５】
【特許文献１】特開平０６−３２７８９２号公報
【特許文献２】特開２００５−１３７６４３号公報
【発明の概要】
【発明が解決しようとする課題】
【０００６】
しかしながら、前記従来の構成では、水槽５１の重量や水槽に付加した錘６２の重量により、脱水定常時（約８００〜１２００ｒ／ｍｉｎ）の筐体５８への振動伝達率が増大するという課題があった。また、脱水回転がスタートして、約３００ｒ／ｍｉｎ程度までの脱水起動時（水槽５１の共振周波数）の振れ回り振動において、水槽５１が単純な上下方向に振動する揺動であれば、従来の防振ダンパー６０にて減衰が可能である。
【０００７】
しかし、衣類のアンバランスがドラム５２内の前方と後方に分布し、重心に対して回転運動や左右方向に振動する揺動の場合、運動方向に対して、十分な減衰効果を得ることができないため、水槽５１の異常振動による異常音の発生や、他の部材に接触して損傷を生じるという問題があった。
【０００８】
本発明は、前記従来の課題を解決するもので、脱水定常時の筐体への振動伝達を抑制するとともに、脱水起動時の水槽の振れ回り振動を効果的に低減するドラム式洗濯機を提供することを目的とする。
【課題を解決するための手段】
【０００９】
前記従来の課題を解決するために、本発明のドラム式洗濯機は、筐体内に設けた水槽と、前記水槽内に回転可能に設けたドラムと、前記ドラムを回転駆動するモータと、前記ドラムの後部に設けた回転軸と、前記回転軸を回転自在に支持し、前記水槽の後部と可撓性部材によりシール結合した軸受部と、前記水槽に設けた支持台とを備え、前記ドラムは、前記軸受部を介してばねと防振ダンパーにより前記支持台で弾性支持し、前記支持台により前記水槽を床面で支持するようにしたものである。
【００１０】
これによって、筐体と振動体である水槽を分離することができ、脱水工程時において、ドラムの振動が水槽を介して筐体へ伝達されるのを抑制し、筐体の振動を低減することができる。
【発明の効果】
【００１１】
本発明のドラム式洗濯機は、ドラムの振動が水槽を介して筐体へ伝達されるのを抑制し、筐体の振動を低減することができる。
【図面の簡単な説明】
【００１２】
【図１】本発明の第１の実施の形態におけるドラム式洗濯機の断面図
【図２】同ドラム式洗濯機の要部前面側斜視図
【図３】同ドラム式洗濯機の要部後面側斜視図
【図４】同ドラム式洗濯機の要部拡大断面図
【図５】本発明の第２の実施の形態におけるドラム式洗濯機の要部拡大断面図
【図６】本発明の第３の実施の形態におけるドラム式洗濯機の要部後面側斜視図
【図７】従来のドラム式洗濯機の断面図
【発明を実施するための形態】
【００１３】
第１の発明は、筐体と、前記筐体内に設けた水槽と、前記水槽内に回転可能に設けたドラムと、前記ドラムを回転駆動するモータと、前記ドラムの後部に設けた回転軸と、前記回転軸を回転自在に支持し、前記水槽の後部と可撓性部材によりシール結合した軸受部と、前記水槽に設けた支持台とを備え、前記ドラムは、前記軸受部を介してばねと防振ダンパーにより前記支持台で弾性支持し、前記支持台により前記水槽を床面で支持するようにしたことにより、筐体と振動体である水槽を分離することができ、脱水工程時において、ドラムの振動が水槽を介して筐体へ伝達されるのを抑制し、筐体の振動を低減することができる。
【００１４】
第２の発明は、特に、第１の発明の筐体の底部に基底部を設け、支持台は、前記基底部を貫通して床面で支持するようにしたことにより、筐体と水槽との位置関係を保持することができ、筐体への振動伝達を低減することができる。
【００１５】
第３の発明は、特に、第１または第２の発明の筐体の底部に筐体支持部を設け、支持台は、前記筐体支持部を貫通して床面で支持するようにしたことにより、筐体と水槽との位置関係を保持することができ、筐体への振動伝達を低減することができる。
【００１６】
第４の発明は、特に、第１〜第３のいずれか１つの発明の支持台の底部に弾性体を設け、前記弾性体を介して床面で支持するようにしたことにより、床面への振動伝達を低減することができる。
【００１７】
第５の発明は、特に、第１〜第４のいずれか１つの発明の支持台の外周部に弾性体を設け、前記弾性体を介して基底部または筐体支持部と当接するようにしたことにより、筐体への振動伝達を低減することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態におけるドラム式洗濯機の断面図、図２は、同ドラム式洗濯機の要部前面側斜視図、図３は、同ドラム式洗濯機の要部後面側斜視図、図４は、同ドラム式洗濯機の要部拡大断面図である。
【００２０】
図１〜図４において、ドラム式洗濯機の外郭をなす筐体１内に、洗濯水を溜める水槽２を配設している。水槽２内には洗濯物を収容する有底筒状のドラム３が回転可能に設けられている。ドラム３の内周壁面には、複数のバッフル４と、水槽２内と連通する多数の透孔５が設けられ、前面側には洗濯物を出し入れする開口部６が設けられている。
【００２１】
ドラム３には、ドラム３を回転支持する回転軸７と、回転軸７を支持する軸受部８と、回転軸７に固着したプーリー９が同軸上に取り付けられており、モータ１０の回転動力はベルト１１を介して回転軸７に伝達され、ドラム３を回転駆動する。回転軸７は、略水平方向に設定されている。
【００２２】
水槽２は、前面側と背面側を開口した筒状に設けられ、前面側は、ドラム３の開口部６に対向して投入口１２が設けられている。投入口１２を開閉する開閉自在な蓋１３が投入口１２に対向して筐体１に設けられており、この蓋１３を開閉してドラム３への洗濯物の出し入れを行うとともに、筐体１と水槽２との間に設けられた窓パッキン１４により、筐体１と水槽２をシールして機外への水漏れを防止する。
【００２３】
水槽２の背面側は、軸受部８から水槽２の開口周縁部２ａに向かって円盤状に形成された後部壁８ａが配設され、この後部壁８ａの前面側に設けた円盤状の水封板１５の周縁部と、水槽２の開口周縁部２ａは、環状に形成された可撓性部材１６で水密にシール結合している。可撓性部材１６は、弾性変形する例えばゴム等のパッキンで形成している。
【００２４】
軸受部８の後部壁８ａには、下方へ下開き状に延びる２本の支持腕１７を設けている。支持腕１７は略Ｌ字状に形成され、水槽２の下方でドラム３の開口部６側、すなわち、水槽２の背面側から投入口１２側へ略平行に伸びるアーム部１７ａを有し、水平方向に所定の間隔を有している。
【００２５】
水槽２は、外周面に支持台１８を固着している。支持台１８は、水槽２の前面側で下方に延びる垂直部１８ａと、前後方向に略水平に延びる水平部１８ｂを有し、水平部１８ｂの後端を水槽２の背面側で連結部１８ｃにより連結している。
【００２６】
軸受部８は、後部壁８ａと支持台１８の間に架設したコイルばね１９ａと防振ダンパー２０ａにより、水槽２の後部で支持台１８に弾性支持され、連結部１８ｃを下方から当接している。
【００２７】
２本のアーム部１７ａは、回転軸７より下方に位置し、支持台１８の水平部１８ｂと略平行でその上方に設けてあり、左右一対のコイルばね１９ｂと防振ダンパー２０ｂにより、水槽２の前部で支持台１８の水平部１８ｂに弾性支持されている。
【００２８】
また、軸受部８の左右両側に略水平方向に延びる一対の横防振ダンパー２１を設け、軸受部８の後部壁８ａに後方へ突設した突起８ｂと、水槽２の開口周縁部２ａとの間に架設している。ドラム３を略水平方向に減衰支持する横防振ダンパー２１により、水槽２で弾
性支持することにより、ドラム３の左右方向の振動を抑制することができる。
【００２９】
したがって、ドラム３は、複数のばね１９ａ、１９ｂと防振ダンパー２０ａ、２０ｂにより、軸受部８を介して支持台１８に前後３箇所で弾性支持されるとともに、ドラム３を略水平方向に減衰支持する左右一対の横防振ダンパー２１により、水槽２の後部で弾性支持されており、ドラム３の上下方向と左右方向の振動を抑制し、水槽２への振動伝達を低減している。
【００３０】
水槽２に設けた支持台１８は、角部の４箇所の下端に水槽支持部２２を設けている。水槽支持部２２は、図４に示すように、筐体１の底部を覆うように設けた基底部２３の孔２３ａを貫通して床面２４に直接当接し、支持台１８を介して水槽２を床面２４で支持するようにしている。
【００３１】
筐体１は、底部下端の角部に設けた４箇所の筐体支持部２５により床面２４に設置される。水槽支持部２２は、筐体支持部２５を貫通して床面２４で支持するようにしてあり、筐体支持部２５の内面に支持台１８を支持する水槽支持部２２を挿入することで、水槽２と筐体１との位置を保持することができ、かつ、水槽２と筐体１が分離され、水槽２から筐体１への振動伝達を低減することができる。
【００３２】
水槽支持部２２と筐体支持部２５は、底部に設けた弾性体２６を介して床面２４と接触するようにしている。弾性体２６は、ゴム等のクッション性を有する材料で構成され、床面２４への振動の伝達を軽減する。
【００３３】
弾性体２６は、水槽支持部２２と筐体支持部２５の両者の底部と、両者間に位置する垂直部２６ａを有している。垂直部２６ａは、支持台１８を支持する水槽支持部２２の外周部を囲むように設け、この垂直部２６ａを介して筐体支持部２５または基底部２３と当接するようにしている。
【００３４】
なお、水槽支持部２２は、筐体支持部２５を貫通させることにより、筐体支持部２５と同じ位置に設けているが、筐体支持部２５と離れた位置で基底部２３に孔２３ａを設け、この孔２３ａに水槽支持部２２を貫通させて床面２４に直接当接させるようにすることができる。この場合は、ゴム等のクッション性を有する弾性体２６は、水槽支持部２２と筐体支持部２５の両方に設けられる。
【００３５】
モータ１０は、支持腕１７の一方に取り付けてあり、他方の支持腕１７にモータ１０と同程度の重さの錘２７を取り付けている。モータ１０と錘２７は回転軸７からの距離が略同等で、重心位置を安定させている。
【００３６】
筐体１の外部から給水路（図示せず）を経て水槽２内に導入される洗濯水は、透孔５を通してドラム３内へも供給される。また、モータ１０の回転駆動は、ベルト１１およびプーリー９を介して回転軸７に伝達され、ドラム３を正逆回転させる。制御手段２８は、モータ１０等を制御し、洗い、すすぎ、脱水等の各工程を制御する。
【００３７】
以上のように構成されたドラム式洗濯機について、以下その動作、作用を説明する。洗濯時は、まず、蓋１３を開いてドラム３内に洗濯物と洗剤を投入して運転を開始すると、投入された洗濯物の量が検知された後、水槽２内に洗濯水が給水され、水槽２の下部に設けた水溜部２９から洗濯水が溜まり始める。洗濯水は、投入された洗濯物の量に応じて予め設定された所定の水位まで給水されると給水を停止する。
【００３８】
制御手段２８は、選択された運転コースを実行し、モータ１０によりドラム３を所定の
回転数で正逆回転させ、ドラム３内の洗濯物をバッフル４により回転方向へ持ち上げて落下させる叩き洗いを所定時間行う。図示しない温度検知手段により検知された洗濯水の温度が低い場合は、ヒータ３０に通電して洗濯水を加熱し、温水にすることで洗浄効果を高めることができる。
【００３９】
洗い工程後、図示しない排水口に設けた排水弁を開いて洗濯水を排水した後に行われる中間脱水工程、および複数回のすすぎの間に行われる中間脱水工程、さらに、すすぎ工程後に行われる最終脱水工程が実行される。一般的に、最終脱水工程でのドラム３の回転数が最も高く設定される。これらの脱水工程は、モータ１０の回転数を上昇させ、ドラム３の回転数を上げていくことで、洗濯物に含まれる洗濯水を遠心力により脱水し、洗濯を終了する。
【００４０】
脱水工程において、ドラム３が高速で回転することによって生じる振動と振れ回りは、軸受部８を介して支持台１８に前後３箇所で弾性支持された、複数のコイルばね１９ａ、１９ｂと防振ダンパー２０ａ、２０ｂ、および、水槽２の後部で略水平方向に減衰支持する左右一対の横防振ダンパー２１により減衰することができ、水槽２への振動伝達を抑制することができる。
【００４１】
また、ドラム３を弾性支持した支持台１８により、水槽２を床面で支持するようにしたことにより、筐体１と振動体である水槽２を分離することができ、脱水工程時において、ドラム３の振動が水槽２を介して筐体１へ伝達されるのを抑制し、筐体１の振動を低減することができる。
【００４２】
以上のように、本実施の形態においては、筐体１内に設けた水槽２と、水槽２内に回転可能に設けたドラム３と、ドラム３を回転駆動するモータ１０と、ドラム３の後部に設けた回転軸７と、回転軸７を回転自在に支持し、水槽２の後部と可撓性部材１６によりシール結合した軸受部８と、水槽２に設けた支持台１８とを備え、ドラム３は、軸受部８を介してばね１９ａ、１９ｂと防振ダンパー２０ａ、２０ｂにより支持台１８で弾性支持し、支持台１８により水槽２を床面２４で支持するようにしたものであり、筐体１と振動体である水槽２を分離することができ、脱水工程時において、ドラム３の振動が水槽２を介して筐体１へ伝達されるのを抑制し、筐体１の振動を低減することができる。
【００４３】
（実施の形態２）
図５は、本発明の第２の実施の形態におけるドラム式洗濯機の要部拡大断面図である。本実施の形態の特徴は、水槽支持部２２の外周部と筐体支持部２５の内周部との間に間隙２６ｂを設けたものである。他の構成は実施の形態１と同じであり、同一の構成に同一の符号を付して、詳細な説明は実施の形態１のものを援用する。
【００４４】
上記の構成により、水槽支持部２２を介して水槽２から筐体１への振動伝達をさらに低減することができる。
【００４５】
（実施の形態３）
図６は、本発明の第３の実施の形態におけるドラム式洗濯機の要部後面側斜視図である。本実施の形態の特徴は、ドラム３の回転軸７にモータ１０ａの回転軸を同軸上に連結し、モータ１０ａを軸受部８に固着したものである。他の構成は実施の形態１と同じであり、同一の構成に同一の符号を付して、詳細な説明は実施の形態１のものを援用する。
【００４６】
モータ１０ａは、ブラシレス直流モータで構成され、インバータ制御によって回転速度が自在に変化させることができるようになっており、モータ１０ａの回転駆動は、直接回転軸７に伝達され、ドラム３を回転させる。
【００４７】
上記の構成により、水槽２の下部にスペースを確保することができ、支持台１８により水槽２を強固に支持することで、水槽２の共振点を上げることが可能となり、水槽２の振動を低減することができる。
【産業上の利用可能性】
【００４８】
以上のように、本発明にかかるドラム式洗濯機は、ドラムの振動が水槽を介して筐体へ伝達されるのを抑制し、筐体の振動を低減することができるので、ドラム式洗濯機として有用である。
【符号の説明】
【００４９】
１  筐体
２  水槽
３  ドラム
７  回転軸
８  軸受部
１０  モータ
１６  可撓性部材
１８  支持台
１９ａ  ばね
１９ｂ  ばね
２０ａ  防振ダンパー
２０ｂ  防振ダンパー
【図１】
2012130474.tif 000003
【図２】
2012130474.tif 000004
【図３】
2012130474.tif 000005
【図４】
2012130474.tif 000006
【図５】
2012130474.tif 000007
【図６】
2012130474.tif 000008
【図７】
2012130474.tif 000009